(57)【要約】【課題】内部の空気を円滑に排出して冷却効率を向上できるプロジェクタを提供する。【解決手段】プロジェクタを構成する排気ダクト４２は、一方向に延出する筒状に形成されている。排気ダクト４２内部には、上下方向に延び、排気ダクト４２の延出方向に直交する平面Ｓに対して傾斜した複数の第１羽板６１を有する第１ルーバ６と、上下方向に伸び、第１羽板６１に対して傾斜した複数の第２羽板７１を有する第２ルーバ７とが設けられている。各ルーバ６，７は、排気ダクト４２の延出方向に沿って互いに離間した状態で設けられている。【選択図】図５
2009210862.tif 000002
【特許請求の範囲】
【請求項１】
内部の空気を外部に排出するための排気口を有する外装筐体と、前記外装筐体内部に配設され内部の空気を前記排気口に導く排気ダクトとを備えたプロジェクタであって、
前記排気ダクトは、一方向に延出する筒状に形成され、
前記排気ダクト内部には、
第１の方向に延び、前記排気ダクトの延出方向に直交する平面に対して傾斜した複数の第１羽板を有する第１ルーバと、
前記第１の方向に延び、前記第１羽板に対して傾斜した複数の第２羽板を有する第２ルーバとが設けられ、
前記各ルーバは、前記排気ダクトの延出方向に沿って互いに離間した状態で設けられている
ことを特徴とするプロジェクタ。
【請求項２】
請求項１に記載のプロジェクタにおいて、
前記各ルーバは、前記排気ダクトに一体形成され、
前記排気ダクトは、前記第１の方向に直交する平面にて２つに分割され、互いに組み合わされる一対のダクト部材で構成され、
前記各羽板における２つに分割された一方の第１分割羽板部の先端部分には、前記各羽板の一方の板面に沿って突出する一方側第１突部、および他方の板面に沿って突出する他方側第１突部が前記各羽板の傾斜方向に沿って前記一方側第１突部および前記他方側第１突部の順に交互に形成され、
他方の第２分割羽板部の先端部分には、前記一方の板面に沿って突出する一方側第２突部、および前記他方の板面に沿って突出する他方側第２突部が前記第１分割羽板部とは逆に前記傾斜方向に沿って前記他方側第２突部および前記一方側第２突部の順に交互に形成され、
前記第１分割羽板部および前記第２分割羽板部は、前記一方側第１突部および前記一方側第２突部が前記傾斜方向に連設され、前記他方側第２突部および前記他方側第１突部が前記傾斜方向に連設された状態で互いに組み合わされる
ことを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調し、スクリーン等に拡大投射するプロジェクタが知られている。
そして、このようなプロジェクタでは、一般的に、温度上昇を回避するために、外装筐体内部の高温空気を外部に排出する冷却構造が採用されている（例えば、特許文献１参照）。
特許文献１に記載の冷却構造は、光源装置近傍の空気を吸入して吐出する軸流ファンと、一端が軸流ファン側に位置し他端が外装筐体に形成された排気口に対向するように配設され、軸流ファンから吐出された空気を排気口に導く筒状の排気ダクトとで構成されている。
また、排気ダクトの内部には、各板面が排気ダクトの延出方向に直交する平面に対して傾斜した複数の羽板を有する内部ルーバが設けられている。そして、内部ルーバにより、排気ダクト内部を流通する空気を所定方向に整流してプロジェクタ外部に排出させるとともに、排気ダクト内部に導入された漏れ光がプロジェクタ外部に漏れることを防止している。
【０００３】
【特許文献１】特開２００３−２１５７１０号公報
【発明の開示】
【発明が解決しようとする課題】
【０００４】
しかしながら、特許文献１に記載のプロジェクタでは、内部ルーバにより光漏れを防止するためには、排気ダクト内部を他端から見た場合に一端側の開口部分が内部ルーバにより閉塞された状態となっている必要があり、例えば、各羽板における傾斜方向の幅寸法を長くしたり、排気ダクトの延出方向に直交する平面に対する各羽板の傾斜角度を小さくしたりする構成が必要とされる。そして、内部ルーバを上述した構成とした場合には、排気ダクト内部を空気が流通する際に、内部ルーバとの摩擦により流路抵抗が大きくなってしまい、空気を円滑に排出してプロジェクタ内部の冷却効率を向上させることが難しい。
【０００５】
本発明の目的は、内部の空気を円滑に排出して冷却効率を向上できるプロジェクタを提供することにある。
【課題を解決するための手段】
【０００６】
本発明のプロジェクタは、内部の空気を外部に排出するための排気口を有する外装筐体と、前記外装筐体内部に配設され内部の空気を前記排気口に導く排気ダクトとを備えたプロジェクタであって、前記排気ダクトは、一方向に延出する筒状に形成され、前記排気ダクト内部には、第１の方向に延び、前記排気ダクトの延出方向に直交する平面に対して傾斜した複数の第１羽板を有する第１ルーバと、前記第１の方向に延び、前記第１羽板に対して傾斜した複数の第２羽板を有する第２ルーバとが設けられ、前記各ルーバは、前記排気ダクトの延出方向に沿って互いに離間した状態で設けられていることを特徴とする。
【０００７】
本発明では、排気ダクト内部には、同一方向に延び、互いに異なる傾斜方向で排気ダクトの延出方向に直交する平面に対して傾斜した第１羽板および第２羽板をそれぞれ複数、有する第１ルーバおよび第２ルーバを備える。すなわち、２つのルーバが設けられているため、各ルーバに光漏れを防止する遮光機能を持たせる際に、従来における１つの内部ルーバが設けられている構成と比較して、各羽板における傾斜方向の幅寸法を短く設定できるとともに、排気ダクトの延出方向に直交する平面に対する各羽板の傾斜角度を大きく設定できる。このため、排気ダクト内部を空気が流通する際に、各ルーバとの摩擦を小さくでき、すなわち、流路抵抗を小さくでき、空気を円滑に排出してプロジェクタ内部の冷却効率を向上できる。
【０００８】
また、各ルーバは、排気ダクトの延出方向に沿って互いに離間した状態で設けられている。このことにより、例えば、各ルーバが排気ダクトの延出方向に沿って互いに接続している構成と比較して、各ルーバの隙間にも空気を流通させることができるため、流路抵抗を小さくできる。
【０００９】
本発明のプロジェクタでは、前記各ルーバは、前記排気ダクトに一体形成され、前記排気ダクトは、前記第１の方向に直交する平面にて２つに分割され、互いに組み合わされる一対のダクト部材で構成され、前記各羽板における２つに分割された一方の第１分割羽板部の先端部分には、前記各羽板の一方の板面に沿って突出する一方側第１突部、および他方の板面に沿って突出する他方側第１突部が前記各羽板の傾斜方向に沿って前記一方側第１突部および前記他方側第１突部の順に交互に形成され、他方の第２分割羽板部の先端部分には、前記一方の板面に沿って突出する一方側第２突部、および前記他方の板面に沿って突出する他方側第２突部が前記第１分割羽板部とは逆に前記傾斜方向に沿って前記他方側第２突部および前記一方側第２突部の順に交互に形成され、前記第１分割羽板部および前記第２分割羽板部は、前記一方側第１突部および前記一方側第２突部が前記傾斜方向に連設され、前記他方側第２突部および前記他方側第１突部が前記傾斜方向に連設された状態で互いに組み合わされることが好ましい。
【００１０】
本発明では、排気ダクトは、２つに分割され、各羽板が分割された一方の第１分割羽板部を有するダクト部材と、他方の第２分割羽板部を有するダクト部材の２体で構成される。そして、第１分割羽板部および第２分割羽板部は、各先端部分に上述した各突部が形成され、一方側第１突部および一方側第２突部が傾斜方向に連設され、他方側第２突部および他方側第１突部が傾斜方向に連設された状態で互いに組み合わされる。このことにより、例えば、排気ダクト内部を流通する空気の熱により、排気ダクトが歪んだ場合であっても、各分割羽板部の先端部分がずれた状態となることを回避し、各分割羽板部の接続状態を良好に維持できる。このため、各分割羽板部の先端部分がずれて流路抵抗が大きくなることがなく、空気を円滑に排出できる。
【発明を実施するための最良の形態】
【００１１】
以下、本発明の実施の一形態を図面に基づいて説明する。
〔外観構成〕
図１は、本実施形態におけるプロジェクタ１の外観を前面上方側から見た斜視図である。
なお、以下で記載する「上」、「下」、「左」、「右」は、図１における図面視において、上下左右に相当するものである。また、以下で記載する「前面」、「背面」も、図１における図面視において、前面および背面に相当するものである。
プロジェクタ１は、光源から射出された光束を画像情報に応じて変調して画像光を形成し、形成した画像光をスクリーン（図示略）上に拡大投射する。このプロジェクタ１は、図１に示すように、外装を構成する外装筐体２を備える。
【００１２】
外装筐体２は、プロジェクタ１の装置本体を収納する。この外装筐体２は、図１に示すように、プロジェクタ１の天面部、前面部、背面部、および側面部をそれぞれ構成するアッパーケース２１と、プロジェクタ１の底面部、前面部、背面部、および側面部をそれぞれ構成するロアーケース２２とを備えている。
この外装筐体２には、図１に示すように、前面部の左側部分から左側面部の前面側にかけて、外装筐体２内部の空気を外部に排気するための排気口２３が形成されている。
この排気口２３には、複数の整流板２４Ａが格子状に配列した外部ルーバ２４が形成されている。
【００１３】
〔内部構成〕
図２は、外装筐体２内部に収容される装置本体を模式的に示す図である。
外装筐体２内部には、図２に示す装置本体が収容されている。そして、この装置本体は、光学ユニット３と、排気装置４等を備える。
なお、具体的な図示は省略したが、外装筐体２内において、各部材３，４以外の空間には、プロジェクタ１内部に空気を導入させ内部の各構成部材を冷却する冷却ファン等を備えた冷却ユニット、プロジェクタ１の各構成部材に電力を供給する電源ユニット、プロジェクタ１の各構成部材の動作を制御する制御装置等が配置されるものとする。
【００１４】
〔光学ユニットの構成〕
光学ユニット３は、図２に示すように、光源ランプ３１１およびリフレクタ３１２を有する光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、投射光学装置としての投射レンズ３６とを備える。
【００１５】
なお、上述した各光学部品３１〜３６については、種々の一般的なプロジェクタの光学系として利用されているため、具体的な説明を省略する。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調され、色光毎の画像光が形成される。色光毎の画像光は、クロスダイクロイックプリズム３５４にて合成され、投射レンズ３６にてスクリーン（図示略）に拡大投射される。
【００１６】
〔排気装置の構成〕
図３は、排気装置４を前面上方側から見た斜視図である。
図４は、排気装置４を前面上方側から見た分解斜視図である。
排気装置４は、外装筐体２内部において前面左側の角隅部分に配設され、外装筐体２内部に滞留する高温空気を、排気口２３を介して外部に排出する。この排気装置４は、図３または図４に示すように、軸流ファン４１（図４）と、排気ダクト４２とを備える。
【００１７】
排気ダクト４２は、一方向に延出する略四角筒形状を有し、一端４２１が光源装置３１の前面側に位置し、他端４２２が排気口２３に対向するように配設され、光源装置３１近傍の空気を排気口２３に導く。この排気ダクト４２は、上下方向略中央部分において延出方向に沿う平面（水平面）にて分割され、互いに組み合わされる第１ダクト部材４２０Ａおよび第２ダクト部材４２０Ｂで構成されている。
この排気ダクト４２において、内面には、図４に示すように、軸流ファン４１の外形形状に対応して外側に向けて窪む凹部４２３が形成されている。そして、軸流ファン４１は、各ダクト部材４２０Ａ，４２０Ｂを互いに組み合わせた際に、各ダクト部材４２０Ａ，４２０Ｂの凹部４２３に嵌合し、空気の吸入方向および吐出方向が排気ダクト４２の延出方向に沿うように排気ダクト４２内部に配設される。
【００１８】
また、凹部４２３に対して他端４２２側には、図４に示すように、各ダクト部材４２０Ａ，４２０Ｂが互いに組み合わされることで構成される内部ルーバ５が一体形成されている。
図５は、内部ルーバ５の構成を示す断面図である。具体的に、図５は、排気ダクト４２を水平面にて切断した断面図である。
内部ルーバ５は、排気ダクト４２内部の空気の流路Ｒに沿って流通する空気を整流して他端４２２から所定方向（本実施形態では左方向）に排出する整流機能と、一端４２１から排気ダクト４２内部に導入された漏れ光を遮光する遮光機能とを有している。この内部ルーバ５は、図５に示すように、第１ルーバ６と、第１ルーバ６に対して流路Ｒ後段側に離間して設けられる第２ルーバ７とを備える。
【００１９】
第１ルーバ６は、上下方向に延びる複数（本実施形態では３つ）の第１羽板６１を備える。
各第１羽板６１は、図５に示すように、各板面が排気ダクト４２の延出方向に直交する平面Ｓに対して傾斜角度θ１を成すように傾斜し、所定のピッチで左右方向に並設されている。本実施形態では、各第１羽板６１は、流路Ｒに沿って左から右に向かう傾斜方向Ｄ１で傾斜している。
【００２０】
第２ルーバ７は、第１ルーバ６と同様に、上下方向に延びる複数（本実施形態では４つ）の第２羽板７１を備える。
各第２羽板７１は、図５に示すように、各板面が平面Ｓに対して傾斜角度θ２を成し各第１羽板６１に対して傾斜し、所定のピッチで左右方向に並設されている。本実施形態では、各第２羽板７１は、流路Ｒに沿って右から左に向かう傾斜方向Ｄ２で傾斜している。
【００２１】
そして、本実施形態では、傾斜角度θ１，θ２は、同一の角度（例えば、５５°）に設定され、各第１羽板６１および各第２羽板７１は、それぞれ「ハ」の字状となるように設けられている。
また、各第１羽板６１における傾斜方向Ｄ１の幅寸法と各第２羽板７１における傾斜方向Ｄ２の幅寸法とが同一に設定されているとともに、各第１羽板６１におけるピッチと各第２羽板７１におけるピッチとが同一に設定されている。
さらに、各ルーバ６，７は、各羽板６１，７１の傾斜方向Ｄ１，Ｄ２の中心位置Ｐ１，Ｐ２が左右方向にずれた状態で設けられている。
以上のように各ルーバ６，７を設けることにより、排気ダクト４２内部を他端４２２から一端４２１を見た場合に、各ルーバ６，７にて一端４２１の開口部分が閉塞された状態となる。
また、各ルーバ６，７を設けることにより、流路Ｒを辿って流通する空気は、図５に示すように、第１ルーバ６により右斜め前方側に整流されるとともに、第２ルーバ７により左斜め前方側に整流され、排気口２３を介して外装筐体２外部に排出される。
【００２２】
なお、排気ダクト４２は、上述したように、上下方向略中央部分において水平面にて分割された各ダクト部材４２０Ａ，４２０Ｂで構成されているものであり、各羽板６１，７１も同様に、上下方向略中央部分において水平面にて分割されているものである。以下では、図４に示すように、各羽板６１，７１のうち、第１ダクト部材４２０Ａに一体形成される部位を第１分割羽板部８とし、第２ダクト部材４２０Ｂに一体形成される部位を第２分割羽板部９とする。すなわち、各ダクト部材４２０Ａ，４２０Ｂが互いに組み合わされた際に、第１分割羽板部８および第２分割羽板部９で各羽板６１，７１がそれぞれ構成される。
【００２３】
図６は、各分割羽板部８，９の先端部分の形状を示す斜視図である。具体的に、図６（Ａ）は第１分割羽板部８の先端部分を前面下方側から見た斜視図であり、図６（Ｂ）は第２分割羽板部９の先端部分を前面上方側から見た斜視図である。
なお、図６では、説明の便宜上、第１羽板６１を構成する各分割羽板部８，９を図示しているが、第２羽板７１を構成する各分割羽板部８，９も同様の形状を有しているものとする。
第１分割羽板部８の先端部分には、図６（Ａ）に示すように、各羽板６１，７１の一方の板面Ｓ１（左側の板面）に沿って突出する一方側第１突部８１、および他方の板面Ｓ２（右側の板面）に沿って突出する他方側第１突部８２が形成されている。これら各突部８１，８２は、略同一の形状を有し、各羽板６１，７１の略半分の厚み寸法を有するように形成されている。そして、これら各突部８１，８２は、第１羽板６１における傾斜方向Ｄ１に沿って一方側第１突部８１および他方側第１突部８２の順に交互に形成されている。
【００２４】
第２分割羽板部９の先端部分には、図６（Ｂ）に示すように、第１分割羽板部８と同様に、一方の板面Ｓ１に沿って突出する一方側第２突部９１、および他方の板面Ｓ２に沿って突出する他方側第２突部９２が形成されている。そして、これら各突部９１，９２は、傾斜方向Ｄ１に沿って、第１分割羽板部８とは逆に、他方側第２突部９２および一方側第２突部９１の順に交互に形成されている。
また、これら各突部９１，９２は、互いに近接する側の端部同士が接続突部９３にて接続されている。すなわち、各突部９１，９２および接続突部９３は、クランク形状を有するように形成されている。
【００２５】
図７は、各分割羽板部８，９が組み合わされた状態を示す図である。具体的に、図７（Ａ）は各分割羽板部８，９が組み合わされた状態を前面上方側から見た斜視図であり、図７（Ｂ）は図７（Ａ）におけるＢ−Ｂ線の断面図である。
上述した形状により、各ダクト部材４２０Ａ，４２０Ｂが互いに組み合わされた際には、図７に示すように、一方側第１突部８１は、他方側第２突部９２における一方の板面Ｓ１側の空間部分に入り込む。一方、他方側第２突部９２は、一方側第１突部８１における他方の板面Ｓ２側の空間部分に入り込む。
同様に、他方側第１突部８２は、一方側第２突部９１における他方の板面Ｓ２側の空間部分に入り込む。一方、一方側第２突部９１は、他方側第１突部８２における一方の板面Ｓ１側の空間部分に入り込む。
さらに、接続突部９３は、一方側第１突部８１および他方側第１突部８２間に入り込む。
以上のように各ダクト部材４２０Ａ，４２０Ｂが互いに組み合わされることで、傾斜方向Ｄ１に沿って、一方側第１突部８１および一方側第２突部９１が連設されるとともに、他方側第２突部９２および他方側第１突部８２が連設された状態で各分割羽板部８，９の各先端部分が噛み合って、第１羽板６１が構成される。
【００２６】
上述した実施形態によれば、以下の効果がある。
本実施形態では、プロジェクタ１を構成する排気ダクト４２内部には、同一方向に延び、互いに異なる傾斜方向Ｄ１，Ｄ２で平面Ｓに対して傾斜した第１羽板６１，７１をそれぞれ複数有する第１ルーバ６および第２ルーバ７を備える。すなわち、２つのルーバ６，７が設けられているため、各ルーバ６，７に光漏れを防止する遮光機能を持たせる際に、従来における１つの内部ルーバが設けられている構成と比較して、各羽板６１，７１における傾斜方向Ｄ１，Ｄ２の幅寸法を短く設定できるとともに、排気ダクト４２の延出方向に直交する平面Ｓに対する各羽板６１，７１の傾斜角度θ１，θ２を大きく設定できる。このため、排気ダクト４２内部を空気が流通する際に、各ルーバ６，７との摩擦を小さくでき、すなわち、流路抵抗を小さくでき、空気を円滑に排出してプロジェクタ１内部の冷却効率を向上できる。
【００２７】
また、各ルーバ６，７は、排気ダクト４２の延出方向に沿って互いに離間した状態で設けられている。このことにより、例えば、各ルーバ６，７が排気ダクト４２の延出方向に沿って互いに接続している構成と比較して、各ルーバ６，７の隙間にも空気を流通させることができるため、流路抵抗を小さくできる。
【００２８】
また、排気ダクト４２は、２つに分割され、各羽板６１，７１が分割された一方の第１分割羽板部８を有する第１ダクト部材４２０Ａと、他方の第２分割羽板部９を有する第２ダクト部材４２０Ｂの２体で構成される。そして、第１分割羽板部８および第２分割羽板部９は、各先端部分に上述した各突部８１，８２，９１，９２が形成され、一方側第１突部８１および一方側第２突部９１が傾斜方向Ｄ１に連設され、他方側第２突部９２および他方側第１突部８２が傾斜方向Ｄ１に連設された状態で互いに組み合わされる。このことにより、例えば、排気ダクト４２内部を流通する空気の熱により、排気ダクト４２が歪んだ場合であっても、各分割羽板部８，９の先端部分がずれた状態となることを回避し、各分割羽板部８，９の接続状態を良好に維持できる。このため、各分割羽板部８，９の先端部分がずれて流路抵抗が大きくなることがなく、空気を円滑に排出できる。
【００２９】
さらに、上述したように排気ダクト４２は、整流機能および遮光機能を備えつつ、流路抵抗の小さいダクトで構成されているため、軸流ファン４１の回転数を必要以上に大きくしてプロジェクタ１内部の冷却効率を向上させる必要がなく、プロジェクタ１の省電力化が図れるとともに静粛性を確保できる。
また、軸流ファン４１が排気ダクト４２内部に配設されているため、排気ダクト４２を流通する空気により、排気口２３を介して軸流ファン４１の駆動時における軸流ファン４１自体の熱を外部に排出できる。このため、プロジェクタ１内部の冷却効率を向上できるという効果を好適に図れる。
【００３０】
なお、本発明は前述の実施形態に限定されるものではなく、本発明の目的を達成できる範囲での変形、改良等は本発明に含まれるものである。
前記実施形態では、各ルーバ６，７は、排気ダクト４２内部に一体形成されていたが、これに限らず、別体で構成しても構わない。
前記実施形態では、排気ダクト４２は、２つのルーバ６，７が設けられていたが、これに限らず、３つ以上のルーバを設けても構わない。この際には、３つ以上のルーバを、排気ダクト４２の延出方向に沿って互いに離間した状態で設けることが好ましい。
前記実施形態では、第１分割羽板部８は、一方側第１突部８１および他方側第１突部８２の２つの突部のみが設けられていたが、これに限らず、３つ以上の突部を設けた構成としても構わない。この際には、一方側第１突部８１および他方側第１突部８２を傾斜方向に沿って順に交互に設けることが好ましい。なお、第２分割羽板部９も同様に、第１分割羽板部８の先端部分の形状に合わせて形成すればよい。
前記実施形態では、第２分割羽板部９には、接続突部９３が形成されていたが、これに限らず、接続突部９３を省略した構成としても構わない。
【００３１】
前記実施形態では、光変調装置として、透過型の液晶パネル３５１を採用していたが、これに限らず、反射型の液晶パネル、あるいは、ＤＭＤ(Digital Micromirror Device)(米国テキサスインスツルメント社の商標)等を採用してもよい。
前記実施形態では、フロント投射型のプロジェクタの例のみを挙げたが、本発明は、スクリーンを備え、該スクリーンの裏面側から投射を行うリアタイプのプロジェクタにも適用可能である。
【産業上の利用可能性】
【００３２】
本発明は、内部の空気を円滑に排出して冷却効率を向上できるため、プレゼンテーションやホームシアタに用いられるプロジェクタに利用できる。
【図面の簡単な説明】
【００３３】
【図１】本実施形態におけるプロジェクタの外観を前面上方側から見た斜視図。
【図２】前記実施形態における外装筐体内部に収容される装置本体を模式的に示す図。
【図３】前記実施形態における排気装置を前面上方側から見た斜視図。
【図４】前記実施形態における排気装置を前面上方側から見た分解斜視図。
【図５】前記実施形態における内部ルーバの構成を示す断面図。
【図６】前記実施形態における各分割羽板部の先端部分の形状を示す斜視図。
【図７】前記実施形態における各分割羽板部が組み合わされた状態を示す図。
【符号の説明】
【００３４】
１・・・プロジェクタ、２・・・外装筐体、６・・・第１ルーバ、７・・・第２ルーバ、８・・・第１分割羽板部、９・・・第２分割羽板部、２３・・・排気口、４２・・・排気ダクト、４２０Ａ，４２０Ｂ・・・ダクト部材、６１・・・第１羽板、７１・・・第２羽板、８１・・・一方側第１突部、８２・・・他方側第１突部、９１・・・一方側第２突部、９２・・・他方側第２突部、Ｄ１，Ｄ２・・・傾斜方向、Ｒ・・・流路、Ｓ・・・平面、Ｓ１，Ｓ２・・・板面。
【図１】
2009210862.tif 000003
【図２】
2009210862.tif 000004
【図３】
2009210862.tif 000005
【図４】
2009210862.tif 000006
【図５】
2009210862.tif 000007
【図６】
2009210862.tif 000008
【図７】
2009210862.tif 000009